(57)【要約】【目的】  簡単な操作で画面上の所望個所をズームアップ表示することができる画面ズーム方法を提供する。【構成】  携帯端末２には、ＬＣＤパネル２０２及び本体キー２１４が設けられている。本体キー２１４はテンキー（０〜９キー，＊，＃）及び各種機能キーから成る。ＬＣＤパネル２０２に表示される映像の表示領域は縦３×横３の９つの領域に区分されると共に、各区分領域に前記テンキーのうちの１〜９のキーが対応付けられる。ＬＣＤパネル２０２上に映像を表示している状態で、ＣＰＵはキーが押下されたときに時間計測を行い、短時間のキー操作であると判断したときには、チャンネル選択の指令として処理し、長押し操作であると判断したときには、拡大領域の指定とし、当該キーに対応した区分領域を拡大表示する。【選択図】      図３
2005316558.tif 000002
【特許請求の範囲】
【請求項１】
ディスプレイとテンキーを備える装置に用いられる画面ズーム方法であって、前記テンキーにおける各キーの配列に対応させて前記ディスプレイの全領域又はディスプレイ上の映像表示領域を区分し、前記キーが操作されたときに当該キーに対応する区分領域の画像を前記ディスプレイに拡大して表示することを特徴とする画面ズーム方法。
【請求項２】
請求項１に記載の画面ズーム方法において、前記装置はディスプレイとテンキーを一体的に具備することを特徴とする画面ズーム方法。
【請求項３】
請求項１に記載の画面ズーム方法において、前記装置はディスプレイを備える本体部と、テンキーを備えるリモコン送信機とから成ることを特徴とする画面ズーム方法。
【請求項４】
請求項１乃至請求項３のいずれかに記載の画面ズーム方法において、前記装置はテレビ放送を受信するチューナを備えることを特徴とする画面ズーム方法。
【請求項５】
請求項４に記載の画面ズーム方法において、前記キーの短時間操作を検出したときには当該キーに対応したチャンネル変更処理を行う一方、前記キーの長押しを検出したときには前記画像の拡大処理を行うことを特徴とする画面ズーム方法。
【請求項６】
請求項４に記載の画面ズーム方法において、ズームを指示するための特定キーを備え、前記特定キーが操作されない状態で前記キー操作を検出したときには当該キーに対応したチャンネル変更処理を行う一方、前記特定キーが操作された後の所定時間内にキー操作を検出したときには前記画像の拡大処理を行うことを特徴とする画面ズーム方法。
【請求項７】
請求項１乃至請求項６のいずれかに記載の画面ズーム方法において、同一のキーが再度操作されたときに前記画像の拡大処理を停止して元の大きさで全体画像を表示することを特徴とする画面ズーム方法。
【請求項８】
請求項１乃至請求項７のいずれかに記載の画面ズーム方法において、前記キーの操作による前記画像の拡大処理中は当該キーを点灯又は明滅させることを特徴とする画面ズーム方法。
【発明の詳細な説明】
【技術分野】
【０００１】
この発明は、表示画像の任意の部分について拡大表示するのに好適な画面ズーム方法に関する。
【背景技術】
【０００２】
例えば、携帯電話でテレビ画像を見る場合、画面に表示された文字等が小さくて見にくい場合がある。そこで、画面の一部を拡大表示させて視認性を増すことが考えられ、前記画面の一部を指定するために、画面上に位置を示すポインタを表示させ、マウスやトラックボールといったポインティングデバイス、或いはジョグダイヤル等を備えることが考えられる。しかしながら、これでは装置が大きくなり、また、使い勝手もあまり良くならない。一方、前記ポインタをテンキー等で移動させて任意の位置を特定する技術がある（特許文献１，特許文献２，特許文献３参照）。
【特許文献１】特開昭５２−９３２２７
【特許文献２】特開昭６０−２３６３７６
【特許文献３】特開２００３−６７１２０
【発明の開示】
【発明が解決しようとする課題】
【０００３】
しかしながら、いずれにしても画面に表示されたポインタを移動させて画面位置を特定するものであるため、使い勝手が良くないという不満がある。
【０００４】
この発明は、上記事情に鑑み、簡単な操作で画面上の所望個所をズームアップ表示することができる画面ズーム方法を提供することを目的とする。
【課題を解決するための手段】
【０００５】
この発明の画面ズーム方法は、上記の課題を解決するために、ディスプレイとテンキーを備える装置に用いられる画面ズーム方法であって、前記テンキーにおける各キーの配列に対応させて前記ディスプレイの全領域又はディスプレイ上の映像表示領域を区分し、前記キーが操作されたときに当該キーに対応する区分領域の画像を前記ディスプレイに拡大して表示することを特徴とする。
【０００６】
上記の構成であれば、テンキーを押下するという簡単な操作で画面上の所望個所をズームアップ表示することができる。
【０００７】
上記の画面ズーム方法において、前記装置はディスプレイとテンキーを一体的に具備するものでもよい。また、前記装置はディスプレイを備える本体部と、テンキーを備えるリモコン送信機とから成るものでもよい。また、前記装置はテレビ放送を受信するチューナを備えるものでもよい。
【０００８】
これら構成の画面ズーム方法において、前記キーの短時間操作を検出したときには当該キーに対応したチャンネル変更処理を行う一方、前記キーの長押しを検出したときには前記画像の拡大処理を行うこととしてもよい。或いは、ズームを指示するための特定キーを備え、前記特定キーが操作されない状態で前記キー操作を検出したときには当該キーに対応したチャンネル変更処理を行う一方、前記特定キーが操作された後の所定時間内にキー操作を検出したときには前記画像の拡大処理を行うこととしてもよい。
【０００９】
同一のキーが再度操作されたときに前記画像の拡大処理を停止して元の大きさで全体画像を表示することとしてもよい。また、前記キーの操作による前記画像の拡大処理中は当該キーを点灯又は明滅させることとしてもよい。
【発明の効果】
【００１０】
この発明によれば、簡単な操作で画面上の所望個所をズームアップ表示することができるという効果を奏する。
【発明を実施するための最良の形態】
【００１１】
以下、この発明の実施形態を図１乃至図３に基づいて説明する。
【００１２】
図１はこの実施形態の画面ズーム方法が適用される携帯端末のブロック図であり、図２及び図３は携帯端末の外観を示した平面図である。
【００１３】
携帯端末２は、図２（ａ）（ｂ）に示しているように、例えば携帯電話として構成される。携帯端末２には、ＬＣＤパネル２０２及び本体キー２１４が設けられている。本体キー２１４はテンキー（０〜９キー，＊，＃）及び各種機能キーから成る。なお、図２（ａ）には縦画面状態でＬＣＤパネル２０２の全体を用いずに映像が表示されている状態を示している。図２（ｂ）は、前記映像の表示領域が縦３×横３の９つの領域に区分されると共に、各区分領域に前記テンキーのうちの１〜９のキーが対応付けられている様子を示している。
【００１４】
この携帯端末２は、図１に示すごとく、地上波ディジタルチューナ２３０による放送受信により得られた符号化映像・音声データ、或いは、スロット２０１に差し込まれたメモリカード３等から読み出した符号化映像・音声データにより、映像を液晶表示パネル２０２上に映し出すとともに、音声をイヤホン２０３から出力するようになっている。なお，この実施形態では符号化映像・音声データはＭＰＥＧ４データであるとする。
【００１５】
メモリカード３から読み出したＭＰＥＧ４データは、ＰＣＭＣＩＡインターフェイス２２０、及びシステムバス２１３を経てＭＰＥＧ４ビデオデコーダ２０４に供給される。また、地上ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ４−ＡＡＣ）２０６に与える。
【００１６】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等を液晶表示パネル２０２に表示するＯＳＤ（オンスクリーンディスプレイ）処理も行う。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００１７】
ＬＣＤコントローラ２０７は、グラフィックスコントローラ２０５から供給された映像データに基づいて液晶表示パネル２０２を駆動する。Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００１８】
本体キー２１４に対する操作情報は、インターフェイス２１５及びシステムバス２１３を介してＣＰＵ２０９に与えられる。ＣＰＵ２０９は上記操作情報に基づいて必要な処理を実行する。
【００１９】
また、近距離無線ネットワークを可能にするために、通信ブロック２１６及びインターフェイス２１７が設けられている。更に、ＦｌａｓｈＲＯＭ２１８やＳＤＲＡＭ２１９も備える。後述する画面縦横設定等の各種設定情報は例えばＦｌａｓｈＲＯＭ２１８に格納されている。電池２２１は二次電池であり、図示しない充電器から電力の供給を得てこれを蓄える。携帯電話部２３１は電話や電子メール等に係わる処理を行う。
【００２０】
ＣＰＵ２０９は、無線ネットワークのための処理、受信データに基づく各機能部の制御、ＦｌａｓｈＲＯＭ２１８やＳＤＲＡＭ２１９のリード／ライト制御なども行うようになっている。更に、画面縦横設定情報に基づいて画面表示の縦横変更指示をグラフィックスコントローラ２０５に与える。
【００２１】
また、グラフィックスコントローラ２０５は、縦画面表示と横画面表示のいずれの処理も可能に構成されている。縦画面表示と横画面表示は画像を９０°回転させることで実現される。更に、グラフィックスコントローラ２０５は、フレームバッファを備え、映像データを前記フレームバッファに展開すると共に、指定された領域に対応する映像データを前記フレームバッファから読み出し、拡大処理（画素補間等）を行ってフレームメモリに書き込む処理（すなわち、部分拡大処理）も行うようになっている。また、グラフィックスコントローラ２０５は、放送受信映像の画面サイズを縮小する処理（スケーリング処理）を行うことができ、この画面サイズ変更による画面余部にデータ放送部分やメッセージが表示されるように、サイズ変更画面（動画プレーン）の生成及び静止画プレーンの生成を行う。
【００２２】
本体キー２１４に設けた録画キーの押下信号、或いは、メニュー画面上からの録画指令を受けたＣＰＵ２０９は、受信中の番組のデータをメモリカード３に記録する処理を実行する。また、本体キー２１４に設けた再生キーの押下信号、或いは、メニュー画面上からの再生指令を受けたＣＰＵ２０９は、メモリカード３から読み出したデータをバス２１３を介してＭＰＥＧ４ビデオデコーダ２０４に供給し、ＬＣＤパネル２０２上に映像を表示する。
【００２３】
次に、画面のズーム処理について説明していく。
【００２４】
ＬＣＤパネル２０２上に映像を表示している状態で、ＣＰＵ２０９はテンキーの押下を検出している。テレビ放送受信による映像表示である場合、前記テンキーはチャンネル選択の指令キーとしても機能し、拡大領域を指定するキーとしても機能する。ＣＰＵ２０９は、キーが押下されたときに時間計測を行い、短時間のキー操作であると判断したときには、チャンネル選択の指令として処理し、長押し操作であると判断したときには、拡大領域の指定として処理する。例えば、図３（ａ）の状態において、キー「８」が長押しされたとＣＰＵ２０９が判断したときには、同図（ｂ）に示すように、キー「８」に対応する区分領域の画像を拡大して表示する。
【００２５】
上記の例では、映像表示領域（ＬＣＤパネル２０２の全体ではない）を９等分してキー１〜９に対応つけたが、ＬＣＤパネル２０２の全体を１２等分して０〜９キー，＊キー，＃キーに対応つけてもよい。この場合、図３（ａ）の状態で例えば画面余部にデータ放送部分やメッセージが表示される場合、前記０キー、＊キー，＃キーを押下することで、データ放送データ等の所望部分を拡大表示できることになる。
【００２６】
また、上記の例では縦画面表示が行われている場合を例にしたが、これに限るものではない。前述したごとく、グラフィックスコントローラ２０５は、縦画面表示と横画面表示のいずれの処理も可能に構成されている。横画面表示においてはＬＣＤパネル２０２の全体を映像表示領域とすることができる。そして、この場合、映像表示領域を９等分してキー１〜９に対応つけてもよいし、映像表示領域を１２等分して０〜９キー，＊キー，＃キーに対応つけてもよいものである。また、この場合には、携帯端末２を横に向けて視聴することになるので、キー「３，６，９，＃」或いは、キー「１，４，７，＊」が画面上側の領域を指定するものとして扱うのがよい。
【００２７】
画面の縦横設定は、以下のように行えばよい。例えば、メニュー画面上で「設定」項目が選択されると、各種設定項目が表示される。この項目のなかの「画面設定」で縦画面を選択すると、縦状態のＬＣＤパネル２０２に対して適正向きで画像が表示されるように処理を実行するモードとなり、横画面を選択すると、横状態のＬＣＤパネル２０２に対して適正向きで画像が表示されるように処理を実行するモードとなる。また、例えば、この設定に対応して、キー「３，６，９，＃」が画面上側の領域を指定するものとして扱う設定となる。
【００２８】
なお、キー操作で拡大モードとなった後、同一のキーが再度操作されたときには拡大モードを停止して元の大きさで全体画像を表示する一方、異なるキーが操作されたときには当該キーに対応した領域の拡大表示処理を行うこととしてもよい。
【００２９】
また、上記の実施形態では、携帯端末における画面ズーム方法を示したが、これに限るものではない。例えば、据置型の放送受信装置には一般にリモコン送信機が付加されている。リモコン送信機にも同様にチャンネル選択のためのテンキーが設けられている。放送受信装置のＣＰＵは、キーが押下されたときに得られるリモコン信号（赤外線信号等）を受けてから時間計測を行い、短時間のキー操作であると判断したときには、チャンネル選択の指令として処理し、長押し操作であると判断したときには、当該リモコン信号が示す番号に対応した領域の拡大指定として処理すればよい。
【００３０】
また、携帯端末、車載型の放送受信装置、或いは、リモコン送信機に、例えば「拡大モード」を選択する専用又は兼用のキーを設けておき、当該キーが押下された後の所定時間内のテンキー操作は区分領域の指定であるとして処理するようにしてもよい。また、テンキーにＬＥＤ（発光ダイオード）などの発光素子を組み込んでおき、キーが操作されたとき等に発光或いは明滅させる構造が知られている。このような構造を利用し、前記キーの操作による拡大処理中は当該キーを点灯或いは明滅させることとしてもよい。
【図面の簡単な説明】
【００３１】
【図１】この発明の実施形態の画面ズーム方法が適用される携帯端末の構成を示したブロック図である。
【図２】同図（ａ）は図１の携帯端末の外観を示した平面図であり、同図（ｂ）は映像領域の区分とキー番号との対応関係を示した説明図である。
【図３】同図（ａ）の状態でキー「８」が押下されたときに同図（ｂ）のごとく映像拡大処理が行われる様子を示した説明図である。
【符号の説明】
【００３２】
２    携帯端末
２０２  ＬＣＤパネル
２０５  グラフィックスコントローラ
２０７  ＬＣＤコントローラ
２０９  ＣＰＵ
【図１】
2005316558.tif 000003
【図２】
2005316558.tif 000004
【図３】
2005316558.tif 000005